(57)【特許請求の範囲】
【請求項１】
ハンドルハウジングと、このハンドルハウジングに装着され所定の計測情報を表示するメータユニットとを備え、
前記ハンドルハウジングに表側上方より前記メータユニットを収容してこれを支持する有底のメータ装着部を設け、
このメータ装着部の前方側が前記メータユニットの所定部分を透視可能とする透視部とこの透視部以外を透視不可能とするマスク部とを有するカバー部材にて覆われ、
前記透視部が前記マスク部に開けられた開口部からなり、
前記透視部もしくは前記メータユニットが透明カバーにて覆われることを特徴とするハンドルユニット。
【請求項２】
ハンドルハウジングと、このハンドルハウジングに装着され所定の計測情報を表示するメータユニットとを備え、
前記ハンドルハウジングに表側上方より前記メータユニットを収容してこれを支持する有底のメータ装着部を設け、
このメータ装着部の前方側が前記メータユニットの所定部分を透視可能とする透視部とこの透視部以外を透視不可能とするマスク部とを有するカバー部材にて覆われ、
前記マスク部に前記透視部を取り巻いて前記メータユニットの視認方向に伸長する延長部を備えることを特徴とするハンドルユニット。
【請求項３】
ハンドルハウジングと、このハンドルハウジングに装着され所定の計測情報を表示するメータユニットとを備え、
前記ハンドルハウジングに表側上方より前記メータユニットを収容してこれを支持する有底のメータ装着部を設け、
このメータ装着部の前方側が前記メータユニットの所定部分を透視可能とする透視部とこの透視部以外を透視不可能とするマスク部とを有するカバー部材にて覆われ、
前記メータ装着部に前記カバー部材を受ける段部が形成されることを特徴とするハンドルユニット。
【請求項４】
ハンドルハウジングと、このハンドルハウジングに装着され所定の計測情報を表示するメータユニットとを備え、
前記ハンドルハウジングに表側上方より前記メータユニットを収容してこれを支持する有底のメータ装着部を設け、
このメータ装着部の前方側が前記メータユニットの所定部分を透視可能とする透視部とこの透視部以外を透視不可能とするマスク部とを有するカバー部材にて覆われ、
前記マスク部に対応する前記メータ装着部の内部領域に前記メータユニットと前記メータ装着部との固定部が配置されていることを特徴とするハンドルユニット。
【請求項５】
ハンドルハウジングと、このハンドルハウジングに装着され所定の計測情報を表示するメータユニットとを備え、
前記ハンドルハウジングに表側上方より前記メータユニットを収容してこれを支持する有底のメータ装着部を設け、
このメータ装着部の前方側が前記メータユニットの所定部分を透視可能とする透視部とこの透視部以外を透視不可能とするマスク部とを有するカバー部材にて覆われ、
前記マスク部に対応する前記メータ装着部の内部領域に前記回路基板に導通接続される接続部材と前記メータ装着部との固定部が配置されていることを特徴とするハンドルユニット。
【請求項６】
ハンドルハウジングと、このハンドルハウジングに装着され所定の計測情報を表示するメータユニットとを備え、
前記ハンドルハウジングに表側上方より前記メータユニットを収容してこれを支持する有底のメータ装着部を設け、
前記メータ装着部が外部に連通する排水孔を有し、
前記ハンドルハウジングが内部に複数の区画壁を備え、前記排水孔に対応する少なくとも一つの区画壁が前記排水孔を経由した排水を外部に導く傾斜面として形成されていることを特徴とするハンドルユニット。
【請求項７】
ハンドルハウジングと、このハンドルハウジングに装着され所定の計測情報を表示するメータユニットとを備え、
前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、
前記透視部が前記マスク部に開けられた開口部からなり、
前記透視部もしくは前記メータユニットが透明カバーにて覆われることを特徴とするハンドルユニット。
【請求項８】
ハンドルハウジングと、このハンドルハウジングに装着され所定の計測情報を表示するメータユニットとを備え、
前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、
前記マスク部に前記透視部を取り巻いて前記メータユニットの視認方向に伸長する延長部を備えることを特徴とするハンドルユニット。
【請求項９】
ハンドルハウジングと、このハンドルハウジングに装着され所定の計測情報を表示するメータユニットとを備え、
前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、
前記メータ装着部に前記カバー部材を受ける段部が形成されることを特徴とするハンドルユニット。
【請求項１０】
ハンドルハウジングと、このハンドルハウジングに装着され所定の計測情報を表示するメータユニットとを備え、
前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、
前記マスク部に対応する前記メータ装着部の内部領域に前記メータユニットと前記メータ装着部との固定部が配置されていることを特徴とするハンドルユニット。
【請求項１１】
ハンドルハウジングと、このハンドルハウジングに装着され所定の計測情報を表示するメータユニットとを備え、
前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、
前記マスク部に対応する前記メータ装着部の内部領域に前記回路基板に導通接続される接続部材と前記メータ装着部との固定部が配置されていることを特徴とするハンドルユニット。
【請求項１２】
ハンドルハウジングと、このハンドルハウジングに装着され所定の計測情報を表示するメータユニットとを備え、
前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、
前記メータ装着部が外部に連通する排水孔を有し、
前記ハンドルハウジングが内部に複数の区画壁を備え、前記排水孔に対応する少なくとも一つの区画壁が前記排水孔を経由した排水を外部に導く傾斜面として形成されていることを特徴とするハンドルユニット。
【請求項１３】
前記メータユニットが表示装置と、この表示装置を搭載する回路基板とでなり、前記メータ装着部が前記メータユニットの装着状態において前記表示装置と前記回路基板とを収容するメータハウジングを構成することを特徴とする請求項１から請求項１２のうち何れか一つに記載のハンドルユニット。
【請求項１４】
前記透視部と前記マスク部とが樹脂により一体成形されていることを特徴とする請求項２〜請求項６、請求項８〜請求項１３のうち何れか一つに記載のハンドルユニット。
【発明の詳細な説明】
【０００１】
【発明の属する技術分野】
本発明は、自動２輪車等のバー型ハンドルを有する車両に装着されるメータユニットを組み込んだハンドルユニットに関し、特にハンドルユニットに対するメータユニットの取付構造の改良に係わるものである。
【０００２】
【従来の技術】
従来、自動２輪車、特にスクータ型自動２輪車には、一対のバー型ハンドルを両側より突出するハンドルハウジングと、このハンドルハウジングに組み込まれるメータユニットとを備えたハンドルユニットが搭載されている。
【０００３】
この種ハンドルユニットは、例えば特開平９−１９３８６５号公報に開示されているように、互いに連続した一本のバー型ハンドルの両端を突出するようハンドルの中央側を覆うハンドルカバーとも称されるハンドルハウジングに開口部を形成し、この開口部に所定の計測情報を表示するメータユニットを装着してなり、メータユニットは、ハンドルハウジングへのビス等による固定部が表面に露出することを防止するために、表示部が開口部に臨むように、ハンドルハウジングの裏側よりビス締め固定されている。
【０００４】
【発明が解決しようとする課題】
しかしながら、従来のハンドルユニットにあっては、前述のように、ハンドルハウジングの外観を損なうことを防止すべく、メータユニットをハンドルハウジングの背後から組み付ける構造であるために、組み付け性に劣るという問題を有している。
【０００５】
またハンドルや他の機器が障害となるため、車体にハンドルハウジングを固定した状態でメータユニットを装着するのが非常に困難であり、車体に対してハンドルハウジングを取り付ける前にメータユニットを組み付けておく作業が必要となるが、このような作業にあっては、ハンドルハウジング表面への傷つき等の問題から専用の固定用治具を用意し、この固定用治具にハンドルハウジングを固定した上でハンドルハウジングの裏面からメータユニットを固定する必要があり、組み付け作業性が悪いものであった。
【０００６】
本発明はこれらの事情に鑑みてなされたもので、その主な目的は、組み付け作業性を向上させることが可能なハンドルユニットを提供することにある。
【０００７】
【課題を解決するための手段】
また本発明は前記目的を達成するため、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記透視部が前記マスク部に開けられた開口部からなり、前記透視部もしくは前記メータユニットが透明カバーにて覆われることを特徴とする。
【０００８】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記マスク部に前記透視部を取り巻いて前記メータユニットの視認方向に伸長する延長部を備えることを特徴とする。
【０００９】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記メータ装着部に前記カバー部材を受ける段部が形成されることを特徴とする。
【００１０】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記マスク部に対応する前記メータ装着部の内部領域に前記メータユニットと前記メータ装着部との固定部が配置されていることを特徴とする。
【００１１】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記マスク部に対応する前記メータ装着部の内部領域に前記回路基板に導通接続される接続部材と前記メータ装着部との固定部が配置されていることを特徴とする。
【００１２】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、前記メータ装着部が外部に連通する排水孔を有し、前記ハンドルハウジングが内部に複数の区画壁を備え、前記排水孔に対応する少なくとも一つの区画壁が前記排水孔を経由した排水を外部に導く傾斜面として形成されていることを特徴とする。
【００１３】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記透視部が前記マスク部に開けられた開口部からなり、前記透視部もしくは前記メータユニットが透明カバーにて覆われることを特徴とする。
【００１４】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記マスク部に前記透視部を取り巻いて前記メータユニットの視認方向に伸長する延長部を備えることを特徴とする。
【００１５】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記メータ装着部に前記カバー部材を受ける段部が形成されることを特徴とする。
【００１６】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記マスク部に対応する前記メータ装着部の内部領域に前記メータユニットと前記メータ装着部との固定部が配置されていることを特徴とする。
【００１７】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記マスク部に対応する前記メータ装着部の内部領域に前記回路基板に導通接続される接続部材と前記メータ装着部との固定部が配置されていることを特徴とする。
【００１８】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記メータ装着部が外部に連通する排水孔を有し、前記ハンドルハウジングが内部に複数の区画壁を備え、前記排水孔に対応する少なくとも一つの区画壁が前記排水孔を経由した排水を外部に導く傾斜面として形成されていることを特徴とする
【００１９】
また本発明は、前記メータユニットが表示装置と、この表示装置を搭載する回路基板とでなり、前記メータ装着部が前記メータユニットの装着状態において前記表示装置と前記回路基板とを収容するメータハウジングを構成することを特徴とする。
【００２０】
また本発明は、前記透視部と前記マスク部とが樹脂により一体成形されていることを特徴とする。
【００２２】
【発明の実施の形態】
本発明によるハンドルユニットは、ハンドルを両側に突出するハンドルハウジングと、このハンドルハウジングに装着されるメータユニットとを備えており、ハンドルハウジングの表側には上方に開口部を備えると共に底部を有し開口部よりメータユニットを収容してこれを支持するメータ装着部を設けたことにより、ハンドルハウジングの表側からメータユニットの組み付けが可能となり、またメータユニットをメータ装着部に収容した際、底部を通じてメータユニットを受けて保持しておくことが可能となり、また車体にハンドルハウジングを固定した状態でメータユニットの組み付け作業を行うことが可能となり、組み付け作業性が向上する。またメータ装着部としては、必ずしも底部が閉塞されていなくともよく、メータユニットを表側から収容した際にこれを支持でき、且つ表側からのメータユニットの組み付けが可能に形成されていればよい。
【００２３】
またメータユニットが表示装置とこの表示装置を搭載する回路基板とでなり、メータ装着部がメータユニットの装着状態において表示装置と回路基板とを収容するメータハウジングを構成するようにすれば、専用のメータハウジングが不要となり、コストダウンがはかれる。
【００２４】
またメータ装着部の前方側をメータユニットの所定部分を透視可能とする透視部とこの透視部以外を透視不可能とするマスク部とを有するカバー部材にて覆うことによりカバー部材のマスク部により、不要な部分が隠蔽されるため、ハンドルユニットの外観品質を高めることができる。また適用されるメータユニットに応じてカバー部材の構造を変化させれば、金型費が高価なハンドルハウジングの構造変化を抑えながら、バリエーション展開が可能となり、これにより外観造形の異なるハンドルユニットを安価に提供することができる。
【００２５】
また透視部とマスク部とを樹脂により一体成形すれば、部品点数が削減されると共に組み付け工数が削減され、コストダウンがはかれる。
【００２６】
また透視部をマスク部に開けられた開口部にて形成してもよい。このように透視部がマ開口部からなる場合、透視部もしくはメータユニットを透明カバーにて覆えば、メータユニットを保護することができる。
【００２７】
またマスク部に、透視部を取り巻いてメータユニットの視認方向に伸長する延長部を形成してもよく、このように延長部を形成することで、メータ意匠に立体感を持たせることができる。
【００２８】
またメータ装着部にカバー部材を受ける段部を形成してもよく、このように段部を形成したことにより、組み付け作業性を向上させることができると共に、カバー部材をハンドルハウジングに対して安定的に装着することができる。
【００２９】
またマスク部に対応するメータ装着部の内部領域にメータユニットとメータ装着部との固定部を配置すれば、カバー部材のマスク部により、メータユニットとメータ装着部との固定部が隠蔽されるため、ハンドルユニットの外観品質を高めることができる。
【００３０】
またマスク部に対応するメータ装着部の内部領域に回路基板に導通接続される接続部材とメータ装着部との固定部を配置すれば、カバー部材のマスク部により、接続部材とメータ装着部との固定部が隠蔽されるため、ハンドルユニットの外観品質を高めることができる。
【００３１】
またメータ装着部が外部に連通する排水孔を有することにより、メータ装着部内での排水性が高まる。
【００３２】
またハンドルハウジングが内部に複数の区画壁を備えている場合、排水孔に対応する少なくとも一つの区画壁を、排水孔を経由して流入する排水を外部に導く傾斜面として形成することにより、区画壁内での排水性が高まる。
【００３３】
またハンドルハウジングと、このハンドルハウジングに装着され所定の計測情報を表示するメータユニットとを備え、ハンドルハウジングにメータユニットを収容装着するメータ装着部を設け、このメータ装着部の前方側にメータユニットの所定部分を透視可能とする透視部とこの透視部以外を透視不可能とするマスク部とを有するカバー部材を配置するように構成してもよく、このように構成することにより、適用されるメータユニットに応じてカバー部材の構造を変化させることで、金型費が高価なハンドルハウジングの構造変化を抑えながら、バリエーション展開が可能となり、これにより外観造形の異なるハンドルユニットを安価に提供することができる。
【００３４】
またこの場合、メータユニットをハンドルハウジングの裏側下方よりメータ装着部に収容装着することもできる。
【００３５】
【実施例】
以下、添付図面に基づいて本発明の実施例を説明する。
【００３６】
図１から図４は、本発明の第１実施例を示し、図１は、スクータ型自動２輪車のハンドルユニットを示す分解斜視図、図２は図１の組み付け状態を矢印Ａ方向からみた場合の正面図、図３は図２のＸ−Ｘ線に沿った断面図、図４は図２のＹ−Ｙ線に沿った断面図である。
【００３７】
図１において、ハンドルユニットは、ハンドルハウジング１と、一対のハンドル２と、メータユニット３と、カバー部材４と、一対のハンドルミラー５と、同じく一対の取付部材６とで構成されている。
【００３８】
ハンドルハウジング１は、車体前部中央に位置して上方に延びる図示しない車体フレームに固定されるもので、本実施例の場合、車体フレームに連結されるハンドルポストハウジング部１１と、このハンドルポストハウジング部１１からハンドル２に沿って延びる上部ハウジング部１２とを備え、概ね車体の進行方向に開口する略「Ｔ」字型の箱形に成形された樹脂の射出成型体よりなり、図４にて一点鎖線で示すように、車体の進行方向側に配置されると共にヘッドライトＨＬを収容する別の樹脂射出成型体よりなるハンドルハウジング１ａと組み合わされてハンドルハウジングユニットを構成するものである。
【００３９】
ハンドル２は、前記樹脂成形により、ハンドルハウジング１の上部ハウジング部１２両側から連続して両側方に突出するバー状に形成されており、これらの両端にはハンドルグリップＧＲがそれぞれ装着される（図２参照）。
【００４０】
メータユニット３は、走行速度や走行距離等の各種計測情報，ターンシグナルやライトビーム警報等の各種警報情報を表示するもので、図３には、メータユニット３が、回路基板３１上に配置される走行速度を表示する例えばアナログ計器からなる表示装置３２と、走行距離他の各種情報を表示する液晶表示ユニットからなる表示装置３３と、ターンシグナルやライトビーム警報等の各種警報情報を表示するワーニングボックスからなる表示装置３４と、これらの前方に配置される計器文字板３５と、以上の構成要素をユニット化する上下方向に開口した樹脂枠体３６とで構成されている点が詳しく示されている。
【００４１】
カバー部材４は、後に詳述するごとくハンドルハウジング１に装着されたメータユニット３を上方から透視可能に覆うもので、図３にも示すように、メータユニット３の表示部を視認可能とする透視部４１と、この透視部４１を囲む縁部付きの枠体を構成するマスク部４２と、このマスク部４２の一部から背後に延び後に詳述するごとくハンドルハウジング１に嵌合するフック部４３とからなり、本実施例の場合、透視部４１が透明なアクリル樹脂により、一方、マスク部４２が黒色のＡＥＳ樹脂により２色成形により設けられている。
【００４２】
各ハンドルミラー５は、取付部材６に連結支持されるもので、ミラーフレーム部５１と、このミラーフレーム部からハンドルフレーム２側に延び支柱部として機能するアーム部５２と、ミラーフレーム部５１に装着されるミラー５３とから構成され、ミラーフレーム部５１とアーム部５２とは樹脂にて一体に形成され、取付部材６への取付側となるハンドルミラー５部分、本実施例の場合、アーム部５２の先端部は、アーム部５２の軸心を中心として膨出する球状の連結部５４として形成されている。
【００４３】
取付部材６は、各ハンドルフレーム２の根本部に位置して、ハンドルフレーム２を取り巻くように取り付けられる樹脂部材からなり、それぞれがハンドルフレーム２を挟んで互いに接合される第１の構成体６１と第２の構成体６２とに２分割形成されている。
【００４４】
このように取付部材６を構成する各構成体６１，６２のうち、ユーザー側となる第１の構成体６１には、ユーザーによる操作が可能なホーンスイッチＳＷ１，ウインカー（方向指示機作動用）スイッチＳＷ２，ヘッドライトの上向き／下向きを切り換えるディマースイッチＳＷ３，エンジンを始動させるスタート（セル）スイッチＳＷ４からなる各種スイッチ類が装着されており、一方、ユーザー側とは反対側、すなわち車体の前進方向側となる第２の構成体６２には、図２に示すように、ユーザーによる操作が可能な操作機構類として例えばブレーキレバーＢＬの支点となる部分を装着して支承するためのレバー取付部６２ａが形成されている。従って本実施例の場合、取付部材６は、各種スイッチ類ＳＷ１〜ＳＷ４と操作機構類ＢＬとを装着するためのハンドルブラッケットとしても機能するものである。
【００４５】
さらに互いに対をなす各構成体６１，６２のそれぞれには、相互の一端側合わせ部付近から、互いに略平行に延びハンドルミラー５の連結部５４を挟付保持するためのミラー取付ステー６３，６４が一体に形成されている。
【００４６】
つぎに、ハンドルハウジング１の内部構造並びにメータユニット３の装着状態について詳しく説明する。
【００４７】
ハンドルハウジング１において、上部ハウジング部１２の中央には、メータユニット３の外径形状に応じてこれよりも若干大きな内径を有して下方に窪む断面形状が凹状且つ有底枠体状のメータ装着部１２０が形成され、このメータ装着部１２０は、上方に開口する開口部１２１と、この開口部１２１から下方に向けて連続的に延びる側壁部１２２と、この側壁部１２２から一体に延びて開口部１２１を塞ぐ底壁部１２３とで構成されている。
【００４８】
このように構成されたメータ装着部１２０には、図３に示すように、ハンドルハウジング１の表面側上方から、メータユニット３が収容装着されるが、メータ装着部１２０の底壁部１２３には、上方に突出するボス部１２４が形成されており、このボス部１２４にメータユニット３が支持固定される。
【００４９】
ボス部１２４に対応するメータユニット３には、その樹脂枠体３６から取付ステー部３６１が突出形成され、この取付ステー部３６１を介してメータユニット３が支持され、またボス部１２４と取付ステー部３６１とがビスＢにより締め付け固定されることにより、メータユニット３がメータ装着部１２０内に固定される。
【００５０】
また底壁部１２３には、貫通孔１２５が形成されており、この貫通孔１２５を通じてメータユニット３の回路基板３１の一対の基板コネクタＰＣと、車体側配線に導通する車体カプラＢＣが挿入接続された中継コネクタ（接続部材）ＣＣ並びにスイッチＳＷ４に導通するコネクタ（接続部材）ＣＮとがそれぞれ導通接続されるもので、この場合、中継コネクタＣＣ及びコネクタＣＮはビスＢによって底壁部１２３に締め付け固定されている。なお中継コネクタＣＣは、各スイッチＳＷ１〜ＳＷ３とも接続されていて、中継コネクタＣＣとコネクタＣＮとは回路基板３１を介して接続されている。
【００５１】
このようにメータユニット３が収容固定されたメータ装着部１２０の前方側には、メータ装着部１２０を塞ぐようにカバー部材４が配置され、これによりメータユニット３の前方側が覆われるもので、カバー部材４の取り付けは、カバー部材４のフック部４３を側壁部１２２に形成された孔部１２６に嵌合することにより達成される。
【００５２】
カバー部材４の取り付け状態にあっては、メータユニット３の表示部が透視部４１を通じて透視可能となると共に、前記表示部以外の周辺領域となるボス部１２４と取付ステー部３６１とのビスＢによる固定箇所（固定部）や中継コネクタＣＣ並びにコネクタＣＮと底壁部１２３とのビスＢによる固定箇所（固定部）は、マスク部４２によって覆われる。
【００５３】
また図４に示すように、底壁部１２３には、メータ装着部１２０内に侵入した雨水等の水を外部に排出する排水孔Ｈが形成されており、この排水孔Ｈ通じてメータ装着部１２０外に排水された水は、ハンドルハウジング１の内部に補強用に形成された区画壁１３に至ることとなるが、排水孔Ｈに対応する区画壁１３の表面は、傾斜面１３０として形成されているため、下方に水を排出しやすくなっており、本実施例では、底壁部１２３の下部に位置する区画壁１３の全てが傾斜面１３０を備えている。
【００５４】
以上のように、本実施例によるハンドルユニットは、ハンドル２を両側に突出するハンドルハウジング１と、このハンドルハウジング１に装着されるメータユニット３とを備えており、ハンドルハウジング１の表側には上方に開口部１２１を備えると共に底部（底壁部１２２）を有し開口部１２１よりメータユニット３を収容してこれを支持するメータ装着部１２０を設けたことにより、ハンドルハウジング１の表側からメータユニット３を組み付けることができ、またメータユニット３をメータ装着部１２０に収容した際、底部（底壁部１２３）を通じてメータユニット３を受けることが可能となり、また車体にハンドルハウジング１を固定した状態でメータユニット３を組み付けることができるので、専用の治具を用いた組み付け作業が不要となり、組み付け作業性が向上する。
【００５５】
また本実施例では、メータ装着部１２０において、メータユニット３を支持する底壁部１２２が完全に閉塞する場合を示したが、メータユニット３を支持する有底部分としては、表側からメータユニット３を収容した際にこれを直接もしくは間接的に支持でき、且つ表側からのメータユニットの取り付けが可能に形成されていれば、底部が閉塞されていなくともよく、例えば図３において、メータユニット３に対応する底壁部１２３箇所を開口部として形成することもできる。
【００５６】
また本実施例では、メータユニット３が表示装置３２〜３４とこの表示装置３２〜３４を搭載する回路基板３１とでなり、メータ装着部１２０がメータユニット３の装着状態において表示装置３２〜３４と回路基板３１とを収容するメータハウジングを構成することにより、専用のメータハウジングが不要となり、コストダウンを可能としている。
【００５７】
また本実施例では、メータ装着部１２０の前方側を、これの所定部分を透視可能とする透視部４１とこの透視部４１以外を透視不可能とするマスク部４２とでなるカバー部材４にて覆う構造であるため、カバー部材４のマスク部４２により、メータ装着部１２０における不要な部分を隠蔽することができ、ハンドルユニットの外観品質を高めることができる。
【００５８】
またこのようにメータ装着部１２０をカバー部材４で覆うことにより、適用されるメータユニット３の外観構造やこれに内蔵される表示装置３２〜３４（意匠）に応じてカバー部材４の構造を変化させることで、金型費が高価なハンドルハウジング１２の構造変化を抑えながら、バリエーション展開が可能となり、これにより外観造形の異なるハンドルユニットを安価に提供することができる。この際、メータユニット３のバリエーションに応じて適用されるカバー部材４には、メータユニット３の各表示装置３２〜３４に対応した透視部４１及びマスク部４２を形成すればよく、例えばマスク部４２に木目調等各種のデザインを施したり、色彩をハンドルハウジング１２とは異色とする等の加工を施すことにより、意匠性を高めてもよい。
【００５９】
またバリエーション展開を考慮した場合、メータ装着部１２０は、想定されるメータユニット３の機種バリエーションに応じて余裕を持たせることが望ましい。
【００６０】
また本実施例では、透視部４１とマスク部４２とを樹脂により一体成形したことによって、部品点数の削減が可能となると共に組み付け工数を削減でき、コストダウンをはかることができる。
【００６１】
また本実施例では、特に、マスク部４２に対応するメータ装着部１２０の内部領域にメータユニット３とメータ装着部１２０（底壁部１２３）とのビスＢによる固定部を配置したことにより、カバー部材４のマスク部４２により、メータユニット３とメータ装着部１２０との固定部を隠蔽することができ、ハンドルユニットの外観品質を高めることができる。
【００６２】
また本実施例では、特に、マスク部４２に対応するメータ装着部１２０の内部領域に回路基板３１に導通接続される中継コネクタ（接続部材）ＣＣやコネクタ（接続部材）ＣＮとメータ装着部１２０（底壁部１２３）とのビスＢによる固定部を配置したことにより、カバー部材４のマスク部４３により、中継コネクタ（接続部材）ＣＣやコネクタ（接続部材）ＣＮとメータ装着部１２０との固定部が隠蔽されるため、ハンドルユニットの外観品質を高めることができる。
【００６３】
また本実施例では、メータ装着部１２０がその底壁部１２３に外部に連通する排水孔Ｈを有することにより、メータ装着部１２０内での排水性を高めることができる。
【００６４】
また本実施例では、ハンドルハウジング１が内部に複数の区画壁１３を備えており、排水孔Ｈに対応する少なくとも一つの区画壁１３を、排水孔Ｈを経由して流入する排水を外部に導く傾斜面１３０として形成したことにより、区画壁１３内での排水性をも高めることができる。
【００６５】
なお本実施例では、ハンドルハウジング１の樹脂射出成形と同時にハンドル２を設け、これらを一体構造としたが、ハンドルハウジング１とハンドル２とは別体構造であってもよく、ハンドルハウジング１を従来のごとくハンドルカバーとして設け、金属等別体のハンドルの中央側を覆うものとして設けてもよい。
【００６６】
図５，図６は本発明の第２実施例として、カバー部材の変形例を示すもので、本実施例によるカバー部材は、図５に示すように、前述第１実施例と同様な構成を有する第１のカバー部材４００と、この第１のカバー部材４００の前方に配置され、バイザーとしても機能する第２のカバー部材４０１とからなり、この場合、第２のカバー部材４０１には、第１のカバー部材４００の第１の透視部４１に対応した開口部からなる第２の透視部４０２が形成され、また第２のカバー部材４０１の第１のマスク部４２に対応する第２のマスク部４０３には、図６にも示すように、透視部４０２を取り巻くように視認方向に延びる延長部４０４が必要箇所分形成されている。
【００６７】
またこの場合、開口部状の透視部４０２は、第１のカバー部材４００の第１の透視部４１からなる透明カバーにより覆われ、さらにメータ装着部１２０には、第２のカバー部材４０１の周壁部を受ける段部１２７が形成され、この段部１２７に第２のカバー部材４０１の周壁部端部が当接状態に装着されている。
【００６８】
以上の構成にてなる本実施例によれば、前述第１実施例と略同様な効果を期待できると共に、特に第２の透視部４０２が第２のマスク部４０３に開けられた開口部にて構成される場合、開口部状の第２のマスク部４０３を第１のカバー部材４００の第１の透視部４１でなる透明カバーにて覆うことにより、メータユニット３を保護することができる。
【００６９】
また本実施例では、第２のマスク部４０３に第２の透視部４０２を取り巻いてメータユニット３の視認方向に伸長する延長部４０４を形成したことにより、メータ意匠に立体感を持たせることができる。
【００７０】
また本実施例では、メータ装着部１２０に第２のカバー部材４０１を受ける段部１２７を形成したことにより、組み付け作業性を向上させることができると共に、カバー部材４０１をハンドルハウジング１に対して安定的に装着することができる。
【００７１】
なお本実施例では、開口部状の第２のマスク部４０３を第１のカバー部材４００の第１の透視部４１でなる透明カバーにて覆う場合を示したが、第１のカバー部材４００に代えて例えば本発明の第３実施例として図７に示すように、専用の透明カバーＣを設けてもよい。この際、透明カバーＣは、溶着などの適宜手段によりカバー部材４０１に固定される。
【００７２】
図８は、本発明の第４実施例として、メータユニット３がその前方側を覆う透明カバーＣを有する場合を示しており、本実施例によっても前述実施例と同様な効果を期待できる。
【００７３】
図９は、本発明の第５実施例として、ハンドルハウジング１が無底のメータ装着部１２０を有し、このメータ装着部１２０にハンドルハウジングの裏側下方よりメータユニット３を収容装着し、その前方からメータ装着部１２０の前方側に透視部４１とこの透視部４１以外を透視不可能とするマスク部４２とを有するカバー部材を配置するように構成しており、これにより、適用されるメータユニットに応じてカバー部材の構造を変化させることで、金型費が高価なハンドルハウジングの構造変化を抑えながら、バリエーション展開が可能となり、これにより外観造形の異なるハンドルユニットを安価に提供することができる。
【００７４】
なおこの場合、メータ装着部１２０は、バリエーション展開に伴って適用されるメータユニット３の種類（構造）に応じて予め余裕を持たせて設定するのが望ましい。
【００７５】
【発明の効果】
以上のように、本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記透視部が前記マスク部に開けられた開口部からなり、前記透視部もしくは前記メータユニットが透明カバーにて覆われることにより、組み付け作業性を向上させることができると共にハンドルユニットの外観品質を高めることができ、しかもメータユニットを保護することができる。
【００７６】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記マスク部に前記透視部を取り巻いて前記メータユニットの視認方向に伸長する延長部を備えることにより、組み付け作業性を向上させることができると共にハンドルユニットの外観品質を高めることができ、しかもメータ意匠に立体感を与えることができる。
【００７７】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記メータ装着部に前記カバー部材を受ける段部が形成されることにより、組み付け作業性を向上させることができると共にハンドルユニットの外観品質を高めることができ、しかも組み付け作業性を向上させることができる。
【００７８】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記マスク部に対応する前記メータ装着部の内部領域に前記メータユニットと前記メータ装着部との固定部が配置されていることにより、組み付け作業性を向上させることができると共にハンドルユニットの外観品質を高めることができ、しかもハンドルユニットの外観品質を高めることができる。
【００７９】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、このメータ装着部の前方側が前記メータユニットの所定部分を透視可能とする透視部とこの透視部以外を透視不可能とするマスク部とを有するカバー部材にて覆われ、前記マスク部に対応する前記メータ装着部の内部領域に前記回路基板に導通接続される接続部材と前記メータ装着部との固定部が配置されていることにより、組み付け作業性を向上させることができると共にハンドルユニットの外観品質を高めることができる。
【００８０】
また本発明は、ハンドルハウジングと、このハンドルハウジングに装着され所定の計測情報を表示するメータユニットとを備え、前記ハンドルハウジングに表側上方より前記メータユニットを収容してこれを支持する有底のメータ装着部を設け、前記メータ装着部が外部に連通する排水孔を有し、前記ハンドルハウジングが内部に複数の区画壁を備え、前記排水孔に対応する少なくとも一つの区画壁が前記排水孔を経由した排水を外部に導く傾斜面として形成されていることにより、組み付け作業性を向上させることができると共にメータ装着部内での排水性を高めることができ、しかも区画壁内での排水性を高めることができる。
【００８１】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記透視部が前記マスク部に開けられた開口部からなり、前記透視部もしくは前記メータユニットが透明カバーにて覆われることにより、バリエーション展開に際して、外観造形の異なるハンドルユニットを安価に提供することができ、しかもメータユニットを保護することができる。
【００８２】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記マスク部に前記透視部を取り巻いて前記メータユニットの視認方向に伸長する延長部を備えることにより、バリエーション展開に際して、外観造形の異なるハンドルユニットを安価に提供することができ、しかもメータ意匠に立体感を与えることができる。
【００８３】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記メータ装着部に前記カバー部材を受ける段部が形成されることにより、バリエーション展開に際して、外観造形の異なるハンドルユニットを安価に提供することができ、しかもハンドルユニットの外観品質を高めることができる。
【００８４】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記マスク部に対応する前記メータ装着部の内部領域に前記メータユニットと前記メータ装着部との固定部が配置されていることにより、
バリエーション展開に際して、外観造形の異なるハンドルユニットを安価に提供することができ、しかもハンドルユニットの外観品質を高めることができる。
【００８５】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記マスク部に対応する前記メータ装着部の内部領域に前記回路基板に導通接続される接続部材と前記メータ装着部との固定部が配置されていることにより、バリエーション展開に際して、外観造形の異なるハンドルユニットを安価に提供することができ、しかもハンドルユニットの外観品質を高めることができる。
【００８６】
また本発明は、ハンドルハウジングと、このハンドルハウジングに装着され所定の計測情報を表示するメータユニットとを備え、前記ハンドルハウジングに前記メータユニットを収容装着するメータ装着部を設け、このメータ装着部の前方側に前記メータユニットの所定部分を透視可能とする透視部とこの透視部以外を透視不可能とするマスク部とを有するカバー部材を配置し、前記メータ装着部が外部に連通する排水孔を有し、前記ハンドルハウジングが内部に複数の区画壁を備え、前記排水孔に対応する少なくとも一つの区画壁が前記排水孔を経由した排水を外部に導く傾斜面として形成されていることにより、バリエーション展開に際して、外観造形の異なるハンドルユニットを安価に提供することができ、しかもメータ装着部内での排水性を高めることができる。
【００８７】
また本発明は、前記メータユニットが表示装置と、この表示装置を搭載する回路基板とでなり、前記メータ装着部が前記メータユニットの装着状態において前記表示装置と前記回路基板とを収容するメータハウジングを構成することにより、専用のメータハウジングを不要とすることができる。
【００８８】
また本発明は、前記透視部と前記マスク部とが樹脂により一体成形されていることにより、コストダウンをはかることができる。
【図面の簡単な説明】
【図１】スクータ型自動２輪車のハンドルユニットを示す分解斜視図。
【図２】図１の組み付け状態を矢印Ａ方向からみた場合の正面図。
【図３】図２のＸ−Ｘ線に沿った断面図。
【図４】図２のＹ−Ｙ線に沿った断面図。
【図５】本発明の第２実施例を示す断面図。
【図６】図５における外観意匠を示す正面図。
【図７】本発明の第３実施例を示す断面図。
【図８】本発明の第４実施例を示す断面図。
【図９】本発明の第５実施例を示す断面図。
【符号の説明】
１  ハンドルハウジング
２  ハンドル
３  メータユニット
４，４００，４０１  カバー部材
１３  区画壁
３１  回路基板
３２〜３４  表示装置
４１，４０２  透視部
４２，４０３  マスク部
１２０  メータ装着部
１２１  開口部
１２２  底壁部
１２７  段部
１３０  傾斜面
Ｂ  ビス
ＣＣ  中継コネクタ（接続部材）
ＣＮ  コネクタ（接続部材）
Ｈ  排水孔
【図１】
0003603937.tif 000002
【図２】
0003603937.tif 000003
【図３】
0003603937.tif 000004
【図４】
0003603937.tif 000005
【図５】
0003603937.tif 000006
【図６】
0003603937.tif 000007
【図７】
0003603937.tif 000008
【図８】
0003603937.tif 000009
【図９】
0003603937.tif 000010